(57)【要約】【課題】本発明は、エンドユーザが記録運用に影響することなく保守・点検作業を容易に行なうことが可能な情報記録再生装置を提供することを目的とする。【解決手段】本発明による情報記録再生装置は、外部から入力される情報を記録する情報記録再生装置において、通常動作時に情報の記録や再生の動作を実行するための第１のコマンド入力手段８と、保守・点検時に情報の記録や再生の動作を実行するための第２のコマンド入力手段８と、ユーザが第２のコマンド入力手段を実行するためのユーザインターフェース手段（１７、１８、１９、２０、２１）とを備えることを特徴とする。【選択図】図１
2008305444.tif 000002
【特許請求の範囲】
【請求項１】
外部から入力される情報を記録する情報記録再生装置において、
通常動作時に前記情報の記録や再生の動作を実行するための第１のコマンド入力手段と、
保守・点検時に前記情報の記録や再生の動作を実行するための第２のコマンド入力手段と、
ユーザが前記第２のコマンド入力手段を実行するためのユーザインターフェース手段と、
を備えることを特徴とする、情報記録再生装置。
【請求項２】
外部から入力される情報を記録する情報記録再生装置において、
通常動作時に前記情報の記録や再生の動作を実行するための第１のコマンド入力手段と、
保守・点検時に、前記第１のコマンド入力手段による動作に影響することなく前記情報の記録や再生の動作を実行するための第３のコマンド入力手段と、
ユーザが前記第３のコマンド入力手段を実行するためのユーザインターフェース手段と、
を備えることを特徴とする、情報記録再生装置。
【請求項３】
請求項１または請求項２に記載の情報記録再生装置において、
前記ユーザインターフェース手段として映像出力に重畳して前記情報記録再生装置の外部に画面表示させる情報を出力する外部画像表示手段
をさらに備えることを特徴とする、情報記録再生装置。
【請求項４】
請求項１または請求項２に記載の情報記録再生装置において、
前記ユーザインターフェース手段として前記情報記録再生装置の内部に備えられた所定の画面に画面表示させる内部表示手段
をさらに備えることを特徴とする、情報記録再生装置。
【請求項５】
請求項１または請求項２に記載の情報記録再生装置において、
前記ユーザインターフェース手段として前記情報記録再生装置に接続された外部機器との間で情報を授受する通信表示手段
をさらに備えることを特徴とする、情報記録再生装置。
【請求項６】
請求項３ないし請求項５のいずれかに記載の情報記録再生装置において、
前記ユーザインターフェース手段として音声を出力するための音声出力手段
をさらに備えることを特徴とする、情報記録再生装置。
【発明の詳細な説明】
【技術分野】
【０００１】
本発明は、情報記録再生装置に関し、特に、装置の保守・メンテナンスのための状態の確認が可能な情報記録再生装置に関する。
【背景技術】
【０００２】
一般的な監視用デジタルレコーダは、民生機器よりも機能が多様であるため操作が複雑である。例えば、監視用デジタルレコーダをエンドユーザが点検する場合において、カメラで撮影した画像を全て確認するために画面表示モードを切り替えたり、記録した映像を再生して確認するなど、一般的なエンドユーザにとっては操作が複雑で面倒であった。しかし、監視用デジタルレコーダは、基本的にエンドユーザが管理しているため、操作が複雑であっても保守点検する必要があった。そのため、保守点検時に、何らかのトラブルによる記録の停止やカメラで撮影した映像が欠落するなど、正常な記録の継続が行なわれない状況が見逃されてしまい、必要なときの映像が記録できていないという問題があった。
【０００３】
また、監視用デジタルレコーダの第一の目的は、有事の際の映像の記録であり、場合によっては保守点検時であっても記録の中止ができないことがある。しかし、実際には保守点検時には記録を停止しているため、記録が途切れてしまうという問題があった。そして、記録を停止して保守点検を行なった後に再度記録を開始する必要があるが、記録動作の開始作業を忘れてしまうという問題もあった。
【０００４】
このような問題の対策として、多機能による操作の複雑さに対して快適な操作性を考慮した監視用記録装置（例えば、特許文献１参照）、保守・点検作業を行なう際にユーザに対する影響を影響を最小限に抑え、保守・点検作業の自由度を高めることができる情報ライブラリー装置（例えば、特許文献２参照）、情報信号記録媒体の再生中に、その情報信号の再生動作を中断させず、他の情報信号記録媒体に記録されているナビゲーション情報などの他の情報の再生を開始することのできる情報信号再生装置（例えば、特許文献３参照）がある。
【０００５】
【特許文献１】特開２００１−１２６３４２号公報
【特許文献２】特開平５−２８２７６４号公報
【特許文献３】特開平７−４６５２４号公報
【発明の開示】
【発明が解決しようとする課題】
【０００６】
上記の特許文献１〜特許文献３は、保守・点検作業の進行を容易に行なうことについての記載がなされていないという問題がある。
【０００７】
本発明は、これらの問題を解決するためになされたもので、エンドユーザが記録運用に影響することなく保守・点検作業を容易に行なうことが可能な情報記録再生装置を提供することを目的とする。
【課題を解決するための手段】
【０００８】
上記の課題を解決するために、本発明による情報記録再生装置は、外部から入力される情報を記録する情報記録再生手段において、通常動作時に情報の記録や再生の動作を実行するための第１のコマンド入力手段と、保守・点検時に情報の記録や再生の動作を実行するための第２のコマンド入力手段と、ユーザが第２のコマンド入力手段を実行するためのユーザインターフェース手段とを備えることを特徴とする。
【発明の効果】
【０００９】
本発明は、請求項１に記載のように、外部から入力される情報を記録する情報記録再生手段において、第１のコマンド入力手段は通常動作時に情報の記録や再生の動作を実行し、第２のコマンド入力手段は保守・点検時に情報の記録や再生の動作を実行し、ユーザインターフェース手段はユーザが第２のコマンド入力手段を実行するので、エンドユーザが記録運用に影響することなく保守・点検作業を容易に行なうことができる。
【発明を実施するための最良の形態】
【００１０】
本発明の実施形態について、図面を用いて以下に説明する。
【００１１】
〈実施形態１〉
図１は、本発明の実施形態１による情報記録再生装置のブロック図である。図１に示すように、映像入力１から入力された映像信号は、デコーダ２によってデジタル映像信号に変換され、マルチプレクサ３を経て圧縮器６によって圧縮された後、一時的にメモリー９に格納される。メモリー９に格納された圧縮映像信号は、ＨＤＤ（Ｈａｒｄ  Ｄｉｓｋ  Ｄｒｉｖｅ）インターフェース１１を介してＨＤＤ１２に記録される。ＨＤＤ１２に記録された圧縮映像信号は、ＨＤＤインターフェース１１を介してメモリー９に一時的に格納し、伸張器７によって元のサイズのデジタル映像信号に伸張した後に、ビデオエンコーダ４によって元の映像信号に復元される。ＣＰＵ８は（第１のコマンド入力手段）、情報記録再生装置の一連の処理、すなわち、通常動作時に情報の記録や再生の動作を実行するための不揮発性メモリー１０に格納されているプログラムに従って、一括して管理・制御している。ユーザインターフェースの１つに入力ボタン群２０があり、ヘルプボタン２２、はいボタン２３、いいえボタン２４、閉じるボタン２５の各々からユーザによってコマンド入力され、入力ボタンインターフェース１３を介してＣＰＵ８に入力される。ＧＵＩ（Ｇｒａｐｈｉｃａｌ  Ｕｓｅｒ  Ｉｎｔｅｒｆａｃｅ）部２１（ユーザインターフェース手段）は、保守・点検時に情報の記録や再生の動作を実行するために、設定メニューなどの画面表示情報を生成し、ＣＰＵ８（第２のコマンド入力手段でもある）に制御されてビデオエンコーダ４を通すことによって画像表示信号を映像信号に重畳させてから映像出力５（外部画像表示手段）から出力する。ＬＡＮ端子１９（通信表示手段）はパーソナルコンピュータ（ＰＣ）などの外部機器と接続して情報を授受するために用いられ、ＬＡＮインターフェース１４を介してＣＰＵ８に接続される。ＬＣＤ（Ｌｉｑｕｉｄ  Ｃｒｙｓｔａｌ  Ｄｉｓｐｌａｙ）表示器１８（内部表示手段）は情報記録再生装置に備えられ、ＬＣＤインターフェース１５を介してＣＰＵ８によって制御されて必要に応じて文字や図形などの表示を行なう。音声出力器１７（音声出力手段）は情報記録再生装置に備えられ、音声出力インターフェース１６を介してＣＰＵ８によって制御されて音声を出力する。音声出力器１７、ＬＣＤ表示器１８、ＬＡＮ端子１９、入力ボタン群２０の各々は、ユーザが第２のコマンド入力手段を実行するためのユーザインターフェース手段である。
【００１２】
図２は、本発明の実施形態１による情報記録再生装置における保守点検機能のフローチャートである。なお、実施形態１では、情報記録再生装置を監視現場に設置後約３か月が経過した時点において、記録運用が正常であるかどうかの点検を行なうと仮定する。
【００１３】
まず始めに、ユーザは図１のヘルプボタン２２を５秒以上長押しすることによってユーザ保守点検モードにする。ステップＳ２０において、カメラによって映像入力１から入力された映像を映像出力５からモニタに出力し、映像が正常に入力されているのかどうかを点検する。このとき、入力した映像に図３の画面を重畳させて出力する（ステップＳ２１）。図３は、カメラの映像をチェックする画面の表示例を示している。ユーザは、情報記録再生装置の操作を特に意識することなく画面表示に従ってカメラの映像を確認でき、映像断、接触不良、カメラ画角異常などの点検が可能となる。
【００１４】
なお、はいボタン２３、いいえボタン２４、閉じるボタン２５は、以下の説明の「はい」、「いいえ」、「閉じる」を実行するときに押されるボタンである。
【００１５】
ステップＳ２２において、カメラの映像に問題がある場合は、図３の「いいえ」を選択してステップＳ２３に移行して図５の画像を表示する。図５は、カメラの映像不良に対するヘルプメニューの表示例を示している。ユーザは、図５のような対処方法を示すヘルプ画面を確認することによって、具体的にどのような対処をすればよいのか知ることができ、専門の知識を有する者でなくても対処できるような単純な内容であればユーザによって対処可能となる。また、対処が困難であるときは図５のヘルプ画面の内容に従って販売店もしくはサービスへ連絡することによって対処を依頼する。点検作業は、「閉じる」を選択することによって終了する。
【００１６】
一方、ステップＳ２２において、カメラの映像に問題がなければ図３の「はい」を選択してステップＳ２４に移行する。ステップＳ２４では、予め決められた設定によって一定時間入力映像を記録する。その後、記録した映像は図４の画面を重畳して自動的に再生される（ステップＳ２５）。図４は、記録した映像を再生してチェックする画面の表示例を示している。ユーザは、情報記録再生装置の操作を特に意識することなく図４のような画面に従って記録した映像の確認ができ、インポーズ表示されている記録時間とともに再生映像に問題がないかどうかの点検が可能となる。ステップＳ２６において、再生した映像に問題がなければ図４の「はい」を選択して点検作業を終了する。また、再生した映像に問題があれば図４の「いいえ」を選択してステップＳ２７に移行して図６の画面を表示する。図６は、再生した映像不良に対するヘルプメニューの表示例を示している。ユーザは、図６の画面に表示された内容に従って簡単に対処方法を知ることができる。点検作業は、「閉じる」を選択することによって終了する。
【００１７】
以上のことから、ユーザは画面を見ながら点検作業を行い、ヘルプ画面によって対処方法を表示するので、複雑な操作による誤作動も生じないため、簡単な操作で記録運用に影響なく短時間で確実に保守点検を実施することが可能となる。
【００１８】
〈実施形態２〉
図７は、本発明の実施形態２による情報記録再生装置のブロック図である。図７に示すように、映像入力１チャンネル１ａから入力されたチャンネル１のカメラ映像は、ビデオデコーダ１チャンネル２ａによってデジタル映像信号に変換される。また、映像入力２チャンネル１ｂから入力されたチャンネル２のカメラ映像は、ビデオデコーダ２チャンネル２ｂによってデジタル映像信号に変換される。変換された複数のデジタル映像信号は、マルチプレクサ３によって必要に応じて時分割されて圧縮器６によって圧縮された後、一時的にメモリー９に格納される。メモリー９に格納された圧縮映像信号は、ＨＤＤインターフェース１１を介してＨＤＤ１２に記録される。ＨＤＤ１２に記録された圧縮映像信号は、ＨＤＤインターフェース１１を介してメモリー９に一時的に格納し、伸張器７によって元のサイズのデジタル映像信号に伸張した後に、ビデオエンコーダ４によって元の映像信号に復元される。ＣＰＵ８（第１のコマンド入力手段）は、情報記録再生装置の一連の処理を、不揮発性メモリー１０に格納されているプログラムに従って、一括して管理・制御している。ユーザインターフェースの１つに入力ボタン群２０があり、ヘルプボタン２２、はいボタン２３、いいえボタン２４、閉じるボタン２５の各々からユーザによってコマンド入力され、入力ボタンインターフェース１３を介してＣＰＵ８に入力される。ＧＵＩ（Ｇｒａｐｈｉｃａｌ  Ｕｓｅｒ  Ｉｎｔｅｒｆａｃｅ）部２１（ユーザインターフェース手段）は、設定メニューなどの画面表示情報を生成し、ＣＰＵ８（第３のコマンド入力手段でもある）に制御されてビデオエンコーダ４を通すことによって画像表示信号を映像信号に重畳させてから映像出力５から出力する。ＬＡＮ端子１９はパーソナルコンピュータ（ＰＣ）などの外部機器と接続するために用いられ、ＬＡＮインターフェース１４を介してＣＰＵ８に接続される。ＬＣＤ（Ｌｉｑｕｉｄ  Ｃｒｙｓｔａｌ  Ｄｉｓｐｌａｙ）表示器１８は情報記録再生装置に備えられ、ＬＣＤインターフェース１５を介してＣＰＵ８によって制御されて必要に応じて文字や図形などの表示を行なう。音声出力器１７は情報記録再生装置に備えられ、音声出力インターフェース１６を介してＣＰＵ８によって制御されて音声を出力する。音声出力器１７、ＬＣＤ表示器１８、ＬＡＮ端子１９、入力ボタン群２０の各々は、ユーザが第２のコマンド入力手段を実行するためのユーザインターフェース手段である。
【００１９】
図８は、本発明の実施形態２による情報記録再生装置における保守点検機能のフローチャートである。なお、実施形態２では、情報記録再生装置を監視現場に設置後約３か月が経過した時点において、記録運用が正常であるかどうかの点検を行なうと仮定する。
【００２０】
まず始めに、ユーザは図７のヘルプボタン２２を５秒以上長押しすることによってユーザ保守点検モードにする。そして、ステップＳ８０において、保守点検モードに移行したことを示す何らかの表示を行なう。このときに表示する画面は、記録再生の保守点検モードであることを示す画面としてＧＵＩ部２１において生成し、生成した画面を映像に重畳して映像出力５から出力される。
【００２１】
なお、はいボタン２３、いいえボタン２４、閉じるボタン２５は、以下の説明の「はい」、「いいえ」、「閉じる」を実行するときに押されるボタンである。
【００２２】
ステップＳ８１では、第３のコマンド入力手段として働くＣＰＵ８によって現在の情報記録再生装置のモードを判定し、保守・点検時に、第１のコマンド入力手段として働くＣＰＵ８による動作に影響することなく情報の記録や再生の動作を実行させる。チャンネル１またはチャンネル２の両方とも記録を実行していない場合はステップＳ８２に移行し、両チャンネルに対して予め決められた記録設定で一定時間入力映像を記録する。一方、チャンネル１またはチャンネル２のうちの少なくとも一方が記録をしている場合はステップＳ８３に移行する。ステップＳ８３では、記録中のチャンネルに対しては記録を継続させ、記録を実行していないチャンネルに対しては予め決められた記録設定で一定時間入力映像を記録する。
【００２３】
ステップＳ８４では、ステップＳ８２およびステップＳ８３において記録した入力映像の再生をすると同時に、ユーザに対して図９のような画面を表示して映像が正常に記録されているかの確認を行なう。図９は、記録映像を再生してチェックする画像表示例を示している。図９の画面はＧＵＩ部２１によって生成され、ビデオエンコーダ４で再生映像に重畳されて表示される。ユーザは、情報記録再生装置の操作を特に意識することなく図９のような画面に従って記録した映像の確認ができ、インポーズ表示されている記録時間とともに再生映像に問題がないかどうかの点検が可能となる。
【００２４】
ステップＳ８５において、再生した映像に問題がなければ図９の「はい」を選択して点検作業を終了する。また、再生した映像に問題があれば図９の「いいえ」を選択してステップＳ８６に移行して図１０の画面を表示する。図１０は、再生した映像不良に対するヘルプメニューの表示例を示している。ユーザは、図１０の画面に表示された内容に従って簡単に対処方法を知ることができる。点検作業は、「閉じる」を選択することによって終了する。
【００２５】
以上のことから、保守点検時であっても記録を停止させることなく記録運用ができ、画面を見ながら簡単な操作で保守点検を実施することが可能となる。
【００２６】
本発明の実施形態では、映像出力５から出力される映像にＧＵＩ部２１によって生成された画面を重畳させて表示しているが、情報記録再生装置に備えられた表示手段に保守点検機能を有するようにしてもよい。例えば、ＬＣＤ表示器１８を用いて保守点検機能の画面を表示させることにより、ユーザは情報記録再生装置の操作を特に意識することなく画面に従って記録した映像の確認ができる。このとき、ＬＣＤ表示器１８では表示できないようなカメラ映像や再生映像については、ＣＰＵ８がデータ中から映像が存在するのかどうかを判別して映像の有無のみをＬＣＤ表示器１８に表示することによって、映像出力５にモニターを接続せずに映像の有無を確認することが可能である。
【００２７】
実施形態の方法以外の他の保守点検の方法としては、点検モードであることを表示し、順次表示されるカメラ映像をその番号やタイトルで判定しながらユーザが表示内容を確認していく方法がある。このときのユーザへの確認画面は、点検モードの表示と再生チャンネルの番号またはタイトルを表示させるようにしてもよい。
【００２８】
本発明の実施形態では、コマンドを入力するために情報記録再生装置に備えられた入力ボタン群２０を使用したが、マウスやリモコンなどの他の入力手段であってもよい。ユーザが遠隔から情報記録再生装置の保守点検ができるようにするため、ＬＡＮを使用することが可能である。ユーザが点検モードにするために、予め決められたＬＡＮコマンドをＬＡＮ端子１９からＬＡＮインターフェース１４を介してＣＰＵ８へ入力した場合、再生映像の確認画面と再生映像とを一緒にＬＡＮによって接続された遠隔のＰＣに送信する。ユーザは、ＰＣ上の画面を確認しながら情報記録再生装置の保守点検や問題の対処方法の確認をすることが可能となる。なお、ＬＡＮだけでなく、ＲＳ２３２Ｃやシリアルバスなど利用可能な通信手段であればいかなるものであってもよい。
【００２９】
保守点検用のモニターの画面サイズが小さいなど、画面表示による保守点検機能のみでは対応できない場合には、音声ガイドを併用することによって、より確実にユーザによる保守点検作業が実施可能となる。本発明の実施形態では、音声出力器１７を備えており、音声出力器１７は音声出力インターフェース１６を介してＣＰＵ８に接続されている。このようにすることによって、記録した映像の出力に合わせて「記録した映像が再生されていますか？」などと音声出力することによって、映像出力５に再生画像が表示されているのかどうかの確認が可能となる。
【００３０】
本発明の実施形態において、映像入力が１個または２個の場合について説明したが、複数個の映像入力であっても同様に適用される。このとき、記録再生映像の点検画面は入力画面数に応じて分割した表示となる。例えば、映像入力数が４個の場合は４分割画面、９個の場合は９分割画面、１６個の場合は１６分割画面で点検することが可能である。
【図面の簡単な説明】
【００３１】
【図１】本発明の実施形態１による情報記録再生装置のブロック図である。
【図２】本発明の実施形態１による情報記録再生装置におけるフローチャートである。
【図３】本発明の実施形態１による情報記録再生装置におけるカメラの映像をチェックする画面表示例を示す図である。
【図４】本発明の実施形態１による情報記録再生装置における記録映像を再生してチェックする画面表示例を示す図である。
【図５】本発明の実施形態１による情報記録再生装置におけるカメラの映像不良に対するヘルプメニューの表示例を示す図である。
【図６】本発明の実施形態１による情報記録再生装置における再生映像不良に対するヘルプメニューの表示例を示す図である。
【図７】本発明の実施形態２による情報記録再生装置のブロック図である。
【図８】本発明の実施形態２による情報記録再生装置におけるフローチャートである。
【図９】本発明の実施形態２による記録映像を再生してチェックする画像表示例を示す図である。
【図１０】本発明の実施形態２による再生映像不良に対するヘルプメニューの表示例を示す図である。
【符号の説明】
【００３２】
１  映像入力、１ａ  映像入力１チャンネル、１ｂ  映像入力２チャンネル、２  ビデオデコーダ、２ａ  ビデオデコーダ１チャンネル、２ｂ  ビデオデコーダ２チャンネル、３  マルチプレクサ、４  ビデオエンコーダ、５  映像出力、６  圧縮器、７  伸張器、８  ＣＰＵ、９  メモリー、１０  不揮発性メモリー、１１  ＨＤＤインターフェース、１２  ＨＤＤ、１３  入力ボタンインターフェース、１４  ＬＡＮインターフェース、１５  ＬＣＤインターフェース、１６  音声出力インターフェース、１７  音声出力器、１８  ＬＣＤ表示器、１９  ＬＡＮ端子、２０  入力ボタン群、２１  ＧＵＩ部、２２  ヘルプボタン、２３  はいボタン、２４  いいえボタン、２５  閉じるボタン。
【図１】
2008305444.tif 000003
【図２】
2008305444.tif 000004
【図３】
2008305444.tif 000005
【図４】
2008305444.tif 000006
【図５】
2008305444.tif 000007
【図６】
2008305444.tif 000008
【図７】
2008305444.tif 000009
【図８】
2008305444.tif 000010
【図９】
2008305444.tif 000011
【図１０】
2008305444.tif 000012